(57)【要約】【課題】劣化または破損した排水ますを好適に補修することが可能であり、かつ、補修したあとの排水ます内に排水を円滑に流すことが可能な排水ますの補修部材を提供する。【解決手段】補修部材３０は、側方に開口した流入口１２、および、側方に開口し、前記流入口１２よりも下方に位置する流出口１３が形成された有底筒状のます本体１１を備えた排水ます１０の補修部材である。補修部材３０は、排水受け部３１と、補修インバート３３とを備えている。排水受け部３１は、排水ます１０の流入口１２からます本体１１内に流入した排水を受け、かつ、平面視において円形状に形成されている。補修インバート３３は、一端が排水受け部３１に接続され、他端が排水ます１０の流出口１３に接続され、一端から他端に向かうに従って下方に傾斜している。【選択図】図２
2019027071.tif 000002
【特許請求の範囲】
【請求項１】
側方に開口した流入口、および、側方に開口し、前記流入口よりも下方に位置する流出口が形成された有底筒状のます本体を備えた排水ますの補修部材であって、
前記排水ますの前記流入口から前記ます本体内に流入した排水を受け、かつ、平面視において円形状に形成された排水受け部と、
一端が前記排水受け部に接続され、他端が前記排水ますの前記流出口に接続され、前記一端から前記他端に向かうに従って下方に傾斜した補修インバートと、
を備えた、排水ますの補修部材。
【請求項２】
前記排水受け部は、下方に凹むように湾曲し、
前記補修インバートの一端は、排水受け部の最底部に接続されている、請求項１に記載された排水ますの補修部材。
【請求項３】
前記補修インバートの他端と連続し、前記排水ますの前記流出口に差し込まれる差込部を備えた、請求項１または２に記載された排水ますの補修部材。
【請求項４】
前記排水受け部の縁から下方に延びたガイド部を備えた、請求項１から３までの何れか１つに記載された排水ますの補修部材。
【請求項５】
前記排水受け部は、前記流入口側部分の第１部材と、前記流出口側部分の第２部材とに分割される、請求項１から４までの何れか１つに記載された排水ますの補修部材。
【請求項６】
前記第２部材には、前記補修インバートの一端が接続されている、請求項５に記載された排水ますの補修部材。
【請求項７】
前記第２部材には、前記第１部材の端部の一部が載置される載置部が設けられている、請求項５または６に記載された排水ますの補修部材。
【請求項８】
請求項１から７までの何れか１つに記載された排水ますの補修部材と、
前記排水ますと、
を備え、
前記排水ますは、地中に埋設され、
前記排水ますは、前記ます本体の底面に形成され、一端が前記流入口の下方に位置し、他端が前記流出口に接続されたインバートを備え、
前記補修部材は、前記インバートに前記補修インバートの他端が接するように、前記ます本体の内部に配置された、地下排水施設。
【請求項９】
前記ます本体はコンクリート製である、請求項８に記載された地下排水施設。
【請求項１０】
請求項７に記載された排水ますの補修部材を用いて前記排水ますを補修する排水ますの補修方法であって、
前記補修インバートの他端が前記流出口に接続されるように、前記第２部材を前記ます本体の内部に配置する第１配置工程と、
前記第２部材の前記載置部に前記第１部材の端部の一部が載置されるように、前記第１部材を前記ます本体の内部に配置する第２配置工程と、
前記第１部材と前記第２部材との間、前記第１部材と前記ます本体との間、および、前記第２部材と前記ます本体との間に、接合剤を注入する注入工程と、
を包含する、排水ますの補修方法。
【発明の詳細な説明】
【技術分野】
【０００１】
本発明は、排水ますの補修部材、地下排水施設および排水ますの補修方法に関する。
【背景技術】
【０００２】
従来から、地中に埋設された排水ますが知られている。また、排水ますの一例として、コンクリート製の公共ますが知られている。コンクリート製の公共ますは、排水に含まれる成分と反応することで劣化または破損し易い。
【０００３】
そこで、劣化または破損した排水ますを補修する方法として、例えば、特許文献１には、公共ますなどの排水ますを更生する更生部材を使用することが開示されている。この更生部材は、底面に形成されたインバートと、インバートの周縁部から立ち上がる立上管部とを有する排水ますに対して使用される。更生部材は、インバート上に載せられるインバート部更生部材と、立上管部の内周面に沿うように立上管部内に挿入される筒状の立上管部更生部材とを備えている。このことで、インバート部更生部材によってインバートを更生することができ、立上管部更生部材によって立上管部を更生することができる。
【先行技術文献】
【特許文献】
【０００４】
【特許文献１】特許第５７３９７８１号
【発明の概要】
【発明が解決しようとする課題】
【０００５】
ところで、排水ますの一例である公共ますは、事前に地中に埋設されており、建物が建設された際、例えば、排水管路を通じて、建物内のトイレ、風呂、台所の流し台などの排水設備に接続される。ここで、排水管路が埋設される深さが浅い場合には、側方に開口した流入口、および、側方に開口し、流入口よりも下方に位置する流出口が形成された有底筒状のます本体と、ます本体の底面に形成されたインバートとを備えた公共ますが使用されることがあり得る。このような公共ますでは、流入口から流入した排水は、滝落としのように流れ、インバートに叩きつけられることになる。そのため、公共ますのインバートは、特に劣化または破損がし易い。
【０００６】
そこで、仮に、滝落としのように流れる公共ますであって、劣化または破損した公共ますを、特許文献１に開示された更生部材を使用して補修した場合、流入口からます本体内に流入した排水は、更生部材の底面に叩きつけられるため、飛散し易かった。また、排水が飛散することで、排水に含まれる汚物がます本体に残留することがあった。
【０００７】
本発明はかかる点に鑑みてなされたものであり、その目的は、劣化または破損した排水ますを好適に補修することが可能であり、かつ、補修したあとの排水ます内に排水を円滑に流すことが可能な排水ますの補修部材、地下排水施設、および、排水ますの補修方法を提供することである。
【課題を解決するための手段】
【０００８】
本発明に係る排水ますの補修部材は、側方に開口した流入口、および、側方に開口し、前記流入口よりも下方に位置する流出口が形成された有底筒状のます本体を備えた排水ますの補修部材である。前記補修部材は、排水受け部と、補修インバートとを備えている。前記排水受け部は、前記排水ますの前記流入口から前記ます本体内に流入した排水を受け、かつ、平面視において円形状に形成されている。前記補修インバートは、一端が前記排水受け部に接続され、他端が前記排水ますの前記流出口に接続され、前記一端から前記他端に向かうに従って下方に傾斜している。
【０００９】
前記補修部材によれば、補修インバートの他端が排水ますの流出口に接続されるように、補修部材をます本体内に配置する。このとき、補修部材の排水受け部の少なくとも一部と、ます本体の底面との間には、空間が形成されている状態となる。よって、ます本体の底部が劣化または破損して、ます本体の底部に段差ができた場合であっても、上記段差に影響されずに、補修部材をます本体内に適切に配置することができる。よって、補修部材を使用して、劣化または破損した排水ますを好適に補修することができる。また、補修部材の排水受け部と、排水ますの流入口との上下方向の距離は、例えば排水ますの底面と流入口との上下方向の距離に比べて短い。よって、流入口から排水受け部に落ちた排水は、飛散し難い。
【００１０】
本発明の好ましい一態様によれば、前記排水受け部は、下方に凹むように湾曲している。前記補修インバートの一端は、排水受け部の最底部に接続されている。
【００１１】
上記態様によれば、排水受け部が下方に凹むように湾曲しているため、補修部材によって排水ますを補修した際、流入口からます本体内に流入した排水は、排水受け部によって受けられた後、補修インバートに向かって流れ易い。よって、排水受け部に排水が溜まることを抑制することができる。
【００１２】
本発明の好ましい他の一態様によれば、前記補修インバートの他端と連続し、前記排水ますの前記流出口に差し込まれる差込部を備えている。
【００１３】
上記態様によれば、排水ますの流出口に差込部を差し込んだ状態で、補修部材をます本体内に配置する。このことで、補修部材を使用して排水ますを補修する際、ます本体に対して補修部材がずれ難くすることができると共に、補修部材がます本体に対して揺動し難くなる。また、流出口に差込部を差し込むことで、ます本体に対する補修部材の位置合わせがし易い。更に、補修部材を使用して排水ますを補修した際、流出口と補修インバートとの間から排水が漏れ難くすることができる。
【００１４】
本発明の好ましい他の一態様によれば、排水受け部の縁から下方に延びたガイド部を備えている。
【００１５】
上記態様によれば、補修部材をます本体内に配置する際、補修部材のガイド部は、ます本体の内周面に沿って補修部材をます本体に挿入するときのガイドの役割として機能する。よって、ガイド部によって、補修部材をます本体内に挿入し易い。仮にガイド部が排水受け部の縁から上方に延びている場合、ガイド部に排水に含まれる汚物などが付着または堆積することがあり得る。しかしながら、上記態様では、ガイド部は、排水受け部の上方に位置していないため、ガイド部に汚物などが付着または堆積することを防止することができる。
【００１６】
本発明の好ましい他の一態様によれば、前記排水受け部は、前記流入口側部分の第１部材と、前記流出口側部分の第２部材とに分割される。
【００１７】
上記態様によれば、補修部材を使用して排水ますを補修する際、例えば、第２部材をます本体内に配置した後で、第１部材をます本体内に配置する。このことによって、例えば、１つの部材によって形成された補修部材をます本体内に配置する場合と比較して、補修部材をます本体内に配置し易い。
【００１８】
本発明の好ましい他の一態様によれば、前記第２部材には、前記補修インバートの一端が接続されている。
【００１９】
例えば、補修インバートの一端が第１部材と第２部材とに亘って接続されていた場合、補修インバートから排水が漏れるおそれがある。しかしながら、上記態様によれば、補修インバートの一端は、第２部材に接続されている。よって、補修インバートから排水を漏れなくすることができる。
【００２０】
本発明の好ましい他の一態様によれば、前記第２部材には、前記第１部材の端部の一部が載置される載置部が設けられている。
【００２１】
上記態様によれば、補修部材を使用して排水ますを補修する際、第１部材の端部の一部が第２部材の載置部に載置された状態で、第１部材および第２部材は、ます本体内に配置される。よって、第１部材と第２部材との間には、隙間ができ難く、第１部材と第２部材との間から排水が漏れ難い。
【００２２】
本発明に係る地下排水施設は、上述した何れかの排水ますの補修部材と、前記排水ますとを備えている。前記排水ますは、地中に埋設されている。前記排水ますは、前記ます本体の底面に形成され、一端が前記流入口の下方に位置し、他端が前記流出口に接続されたインバートを備えている。前記補修部材は、前記インバートに前記補修インバートの他端が接するように、前記ます本体の内部に配置されている。
【００２３】
前記地下排水施設によれば、補修部材の補修インバートの他端が、排水ますのインバートに接しているため、補修部材をます本体内で安定して配置させることができる。よって、ます本体内に、補修部材が安定して配置されるような地下排水施設を提供することができる。
【００２４】
本発明の好ましい一態様によれば、前記ます本体はコンクリート製である。
【００２５】
上記態様によれば、ます本体はコンクリート製であり、コンクリートは、排水に含まれる成分と反応して劣化し易く、かつ、地上からの荷重などで破損することがあり得る。そのため、コンクリート製であるます本体は、劣化または破損がし易いため、コンクリート製のます本体にとって、補修部材を使用して補修されることは特に有用である。
【００２６】
本発明に係る排水ますの補修方法は、上述した排水ますの補修部材を用いて前記排水ますを補修する排水ますの補修方法である。前記補修方法は、第１配置工程と、第２配置工程と、注入工程とを包含する。前記第１配置工程では、前記補修インバートの他端が前記流出口に接続されるように、前記第２部材を前記ます本体の内部に配置する。前記第２配置工程では、前記第２部材の前記載置部に前記第１部材の端部の一部が載置されるように、前記第１部材を前記ます本体の内部に配置する。前記注入工程では、前記第１部材と前記第２部材との間、前記第１部材と前記ます本体との間、および、前記第２部材と前記ます本体との間に、接合剤を注入する。
【００２７】
前記補修方法のような工程に沿って、補修部材をます本体の内部に配置することで、補修部材をます本体内に適切に配置することができる。そして、第１部材と第２部材との間、第１部材とます本体との間、および、第２部材とます本体との間に接合剤を注入することで、ます本体内に流入した排水が漏れ難い。
【発明の効果】
【００２８】
本発明によれば、劣化または破損した排水ますを好適に補修することが可能であり、かつ、補修したあとの排水ます内に排水を円滑に流すことが可能な排水ますの補修部材、地下排水施設、および、排水ますの補修方法を提供することができる。
【図面の簡単な説明】
【００２９】
【図１】実施形態に係る地下排水施設の平面図である。
【図２】図１のＩＩ−ＩＩ断面における地下排水施設の正面断面図である。
【図３】図１のＩＩＩ−ＩＩＩ断面における地下排水施設の左側面断面図である。
【図４】補修部材の第１部材の斜視図である。
【図５】第１部材の左側面図である。
【図６】図５のＶＩ−ＶＩ断面における第１部材の断面図である。
【図７】補修部材の第２部材の斜視図である。
【図８】第２部材の平面図である。
【図９】第２部材の左側面図である。
【発明を実施するための形態】
【００３０】
以下、図面を参照しながら、本発明の実施形態に係る補修部材を備えた地下排水施設の実施形態について説明する。ただし、以下に説明する実施形態は、本発明の実施形態に過ぎず、当然ながら本発明を限定することを意図したものではない。
【００３１】
図１は、本実施形態に係る地下排水施設１００の平面図である。図２は、図１のＩＩ−ＩＩ断面における地下排水施設１００の正面断面図である。図３は、図１のＩＩＩ−ＩＩＩ断面における地下排水施設１００の左側面断面図である。地下排水施設１００は、地中に埋設されており、排水を流す施設である。ここで、「排水」には、汚水および雨水が含まれる。「汚水」とは、トイレ、風呂、および、台所の流し台などの排水設備から排出される水であり、そのままでは河川に放流させることができないものである。「雨水」とは、降雨などの自然現象に起因する水であり、そのまま河川に放流させることができるものである。本実施形態では、図１に示すように、地下排水施設１００は、排水ます１０と、補修部材３０とを備えている。ここでは、排水ます１０の一部が劣化または破損している。そのため、その劣化または破損した箇所から排水などが漏れないように、排水ます１０には、補修部材３０を使用した補修が施されている。
【００３２】
なお、本実施形態では、図面中の符号Ｆは前を示し、符号Ｒｒは後ろを示す。以下の説明では、符号Ｆの方向から排水ます１０を見たときの左、右、上、下が、それぞれ排水ます１０および補修部材３０の左、右、上、下を意味するものとする。図面中の符号Ｌ、Ｒ、Ｕ、Ｄは、それぞれ左、右、上、下を意味するものとする。ただし、これら方向は、説明の便宜上定めた方向に過ぎず、排水ます１０および補修部材３０の設置態様を何ら限定するものではない。
【００３３】
本実施形態に係る排水ます１０は、いわゆる公共ますである。図３に示すように、排水ます１０は、ます本体１１と、インバート１４とを備えている。ます本体１１は、有底筒状のものである。ます本体１１の形状は特に限定されないが、例えば略円筒状である。なお、本実施形態では、ます本体１１は、複数の部材（ここでは、３つの部材）によって構成されているが、一体的に形成されていてもよい。ここでは、ます本体１１の上部には、上方に開口した点検口２１が形成されている。図示は省略するが、例えば点検口２１には上方に延びた立管が接続され、上記立管の上端面には蓋が嵌め込まれている。
【００３４】
本実施形態では、図２に示すように、ます本体１１には、流入口１２および流出口１３が形成されている。流入口１２には、外部からの排水が流入する。流入口１２は、ます本体１１の側部に形成され、側方に向かって開口している。詳しくは、流入口１２は、ます本体１１の側面の上下方向の中心よりも上方におけるます本体１１の側面の部位に形成されている。本実施形態では、流入口１２には、トイレ、風呂、台所の流し台、および、側溝などの排水設備（図示せず）に接続された流入管５が嵌め込まれる。
【００３５】
流出口１３からます本体１１内の排水が流出する。流出口１３は、ます本体１１の側部に形成され、側方に向かって開口している。本実施形態では、流出口１３は、流入口１２よりも下方に位置している。詳しくは、流出口１３は、ます本体１１の側面の上下方向の中心よりも下方（ここでは、下端部）におけるます本体１１の側面の部位に形成されている。平面視において、流出口１３は、流入口１２と対向している。本実施形態では、流出口１３には、下水本管（図示せず）に接続された流出管６が嵌め込まれる。
【００３６】
補修部材３０によって排水ます１０が補修されていない状態において、インバート１４には、排水が流れる。図３に示すように、インバート１４は、ます本体１１の底面に形成された溝である。本実施形態では、平面視において、インバート１４は、流入口１２から流出口１３に延びた直線状の溝であり、かつ、略半管形状の溝である。なお、本実施形態では、ます本体１１の内周面であって、インバート１４の前方および後方には、傾斜面２２が形成されている。傾斜面２２は、ます本体１１の内周面からインバート１４に向かうに従って、下方に傾斜している。
【００３７】
本実施形態では、排水ます１０を構成する部材は、コンクリート製である。すなわち、ます本体１１、インバート１４および傾斜面２２をそれぞれ構成する部材は、コンクリート製である。しかしながら、排水ます１０を構成する部材の一部は、コンクリート以外の材料で形成されていてもよい。
【００３８】
本実施形態に係る排水ます１０は、長期間の使用により、排水に含まれる腐食ガスまたは付着物などによって浸食され、劣化することがあり得る。もしくは、地盤沈下または地上からの荷重などによって排水ます１０が破損することがあり得る。特に、流入口１２からます本体１１内に流入した排水は、インバート１４における流入口１２側の部位に直接当たる。そのため、インバート１４における流入口１２側の部位は、劣化し易い。このように、排水ます１０が劣化または破損すると、排水ます１０内の排水および臭気が外部に漏れるおそれがある。そこで、本実施形態では、排水および臭気の漏れを抑制するために、劣化または破損した排水ます１０を、補修部材３０を用いて補修する。
【００３９】
次に、補修部材３０について説明する。図４は、補修部材３０の第１部材５１の斜視図である。図５は、第１部材５１の左側面図である。図６は、図５のＶＩ−ＶＩ断面における第１部材５１の断面図である。図７は、補修部材３０の第２部材５２の斜視図である。図８は、第２部材５２の平面図である。図９は、第２部材５２の左側面図である。以下の補修部材３０の説明において、補修部材３０の前、後、左、右、上、下とは、それぞれ補修部材３０をます本体１１に配置した状態における補修部材３０の前、後、左、右、上、下とする。図２に示すように、補修部材３０は、劣化または破損した排水ます１０を補修するための部材であり、ます本体１１内に設置されるものである。補修部材３０は、排水受け部３１と、ガイド部３２と、補修インバート３３と、差込部３４とを備えている。
【００４０】
排水受け部３１は、排水ます１０の流入口１２からます本体１１内に流入した排水を受けるものである。排水受け部３１は、下方に凹むように湾曲している。ここでは、排水受け部３１は、補修部材３０の中心に向かうに従って、下方に湾曲している。言い換えると、排水受け部３１は、補修インバート３３の一端に向かうに従って、下方に湾曲している。本実施形態では、排水受け部３１は、ます本体１１に対応した形状であり、ます本体１１に嵌合可能な形状である。本実施形態では、平面視において、排水受け部３１は、円形状である。排水受け部３１は、略椀形状である。
【００４１】
ガイド部３２は、補修部材３０をます本体１１内に設置する際、ガイドとなる役割を担う。ガイド部３２は、排水受け部３１の縁から下方に延びたものである。本実施形態では、ガイド部３２は、排水受け部３１の縁の全体に亘って設けられているが、一部が切り欠けられていてもよい。
【００４２】
補修インバート３３は、排水受け部３１によって受けられた排水を流出口１３へ導くためのものである。ここでは、補修インバート３３の一端は、排水受け部３１に接続され、補修インバート３３の他端は、排水ます１０の流出口１３に接続される。ここでは、補修インバート３３の一端は、排水受け部３１の最底部に接続されている。ここで、「最底部」とは、排水受け部３１における最も下に位置する部位のことをいう。補修インバート３３は、一端から他端に向かうに従って、下方に傾斜している。換言すると、補修インバート３３の底面は、排水受け部３１の底部から左下方に向かって一直線状に延びている。しかしながら、平面視において、補修インバート３３の一部は湾曲していてもよい。
【００４３】
差込部３４は、補修部材３０をます本体１１内に設置する際、排水ます１０の流出口１３に差し込まれるものである。ここでは、上述のように、流出口１３には、流出管６が嵌め込まれ、流出管６に差込部３４が差し込まれる。本実施形態では、差込部３４は、補修インバート３３の他端に設けられている。図８に示すように、平面視において、差込部３４は、排水受け部３１の縁から側方（ここでは、左方）に向かって突出している。ここでは、差込部３４は、円筒状に形成されているが、差込部３４の形状は特に限定されない。差込部３４の外径と、流出管６の内径とは、略同じである。詳しくは、流出口１３に嵌め込まれた流出管６に差込部３４を差し込んだ状態において、差込部３４の外周面は、流出管６の内周面と接触している。なお、差込部３４の先端部には、先端に向かう程、差込部３４の中心に向かって傾斜した差込傾斜面４１が形成されている。このことによって、差込部３４を流出口１３に差し込み易くなる。
【００４４】
本実施形態では、図１に示すように、排水受け部３１は、複数の部材に分割される。なお、排水受け部３１が分割される部材の数は特に限定されない。ここでは、排水受け部３１は、第１部材５１および第２部材５２の２つの部材に分割される。第１部材５１は、補修部材３０を排水ます１０内に配置した際、排水受け部３１における流入口１２側の部位を構成している。第２部材５２は、補修部材３０を排水ます１０内に配置した際、排水受け部３１における流出口１３側の部位を構成している。本実施形態では、第２部材５２は、第１部材５１の左方に配置される。ここでは、平面視において、第１部材５１の面積Ｓ１は、第２部材５２の面積Ｓ２よりも小さい。しかしながら、第１部材５１の面積Ｓ１は、第２部材５２の面積Ｓ２と同じであってもよいし、第２部材５２の面積Ｓ２よりも大きくてもよい。本実施形態では、平面視において、第１部材５１の第２部材５２側の端、および、第２部材５２の第１部材５１側の端は、それぞれ一直線状の端である、しかしながら、第１部材５１の第２部材５２側の端と、第２部材５２の第１部材５１側の端とは、合致するような端であれば、その形状は特に限定されない。例えば、平面視において、第１部材５１の第２部材５２側の端と、第２部材５２の第１部材５１側の端とは、少なくとも一部が曲線状であってもよい。
【００４５】
本実施形態では、図７に示すように、補修インバート３３は、第２部材５２に設けられており、図４に示すように、第１部材５１には設けられていない。ここでは、図７に示すように、補修インバート３３は、一体的に形成されており、複数の部材によって構成されていない。図５および図９に示すように、ガイド部３２は、第１部材５１と第２部材５２とに分割されて形成されている。
【００４６】
ここでは、図８に示すように、第２部材５２における第１部材５１と接触する側の端部（ここでは、右端部）には、載置部５３が形成されている。この載置部５３は、第２部材５２から第１部材５１側（図８では、左から右）に向かって突出した板状のものである。この載置部５３には、第１部材５１における第２部材５２と接触する端部（ここでは、左端部）が載置される。詳しくは、第１部材５１における第２部材５２と接触する端部の裏面には、図６に示すように、裏面から上方に凹んだ段差状の被載置部５４が形成されている。この被載置部５４が第２部材５２の載置部５３に載置されることで、第２部材５２が第１部材５１を支持する状態となる。
【００４７】
なお、補修部材３０の材質は特に限定されない。例えば、補修部材３０は、樹脂製である。詳しくは、補修部材３０の排水受け部３１（第１部材５１および第２部材５２）、ガイド部３２、補修インバート３３および差込部３４は、樹脂製である。しかしながら、排水受け部３１、ガイド部３２、補修インバート３３および差込部３４の少なくとも一部は、樹脂以外の材質によって形成されていてもよい。
【００４８】
次に、補修部材３０を用いて排水ます１０を補修する補修方法について説明する。本実施形態に係る補修方法は、第１配置工程と、第２配置工程と、注入工程とを包含する。まず、第１配置工程では、排水ます１０のます本体１１内に、補修部材３０の第２部材５２を配置する。ここでは、図２に示すように、差込部３４が排水ます１０の流出口１３に差し込まれるように、第２部材５２をます本体１１内に配置する。このとき、補修インバート３３の他端の一部は、排水ます１０のインバート１４と接する。また、図示は省略するが、第２部材５２に設けられたガイド部３２の下端は、排水ます１０の傾斜面２２の上端部分に接する。なお、第２部材５２をます本体１１内に配置したあと、差込部３４と流出管６との間に、接合剤を塗布してもよい。このとき、差込部３４と流出管６との間に塗布する接合剤は、例えば、モルタルであるが、モルタルに限定されない。
【００４９】
次に、第２配置工程では、補修部材３０の第１部材５１をます本体１１内に配置する。ここでは、図２に示すように、第２部材５２の載置部５３上に、第１部材５１の被載置部５４が載置され、かつ、図１に示すように、第２部材５２の右方に第１部材５１が配置されるように、第１部材５１をます本体１１内に配置する。このとき、第１部材５１に設けられたガイド部３２の下端は、排水ます１０の傾斜面２２の上端部分に接する。
【００５０】
以上、第１配置工程および第２配置工程において、補修部材３０がます本体１１内に配置される。次に、注入工程では、接合剤を用いて第１部材５１と第２部材５２、第１部材５１とます本体１１、および、第２部材５２とます本体１１とを接合する。ここでは、図１に示すように、第１部材５１と第２部材５２との間が含まれる領域ＡＲ１、ならびに、第１部材５１とます本体１１との間、および、第２部材５２とます本体１１の間が含まれる領域ＡＲ２に、接合剤を注入する。なお、使用する接合剤の種類は特に限定されない。本実施形態では、第１部材５１と第２部材５２との間が含まれる領域ＡＲ１には、接合剤の一例である接着剤が注入される。このことで、第１部材５１と第２部材５２との間に隙間がなくなり、第１部材５１と第２部材５２とは互いに固定される。第１部材５１とます本体１１との間、および、第２部材５２とます本体１１との間が含まれる領域ＡＲ２には、接合剤の一例であるモルタルが注入される。このことで、第１部材５１とます本体１１との間の隙間、および、第２部材５２とます本体１１との間の隙間がなくなり、第１部材５１および第２部材５２は、ます本体１１に固定される。
【００５１】
以上の工程に従うことで、補修部材３０を用いて排水ます１０を補修することができる。なお、図２に示すように、補修部材３０によって排水ます１０を補修した際、補修部材３０の排水受け部３１と、排水ます１０のインバート１４との間には、空間５５が形成された状態となる。
【００５２】
なお、補修部材３０によって補修された排水ます１０では、以下のようにして排水が流れる。まず、上記排水設備から排出された排水は、流入管５を流れ、流入口１２からます本体１１内に流入する。流入口１２からます本体１１内に流入した排水は、自重によって、排水受け部３１に落ちる。そして、排水受け部３１に落ちた排水は、補修インバート３３に流れ、流出口１３から流出する。流出口１３から流出した排水は、流出管６を通じて、流出管６に接続された下水本管（図示せず）に排出される。
【００５３】
以上、本実施形態では、補修部材３０の補修インバート３３の他端が排水ます１０の流出口１３に接続されるように、補修部材３０をます本体１１内に配置する。このとき、補修部材３０の排水受け部３１と、ます本体１１の底面との間には、空間５５が形成されている状態となる。よって、ます本体１１の底部が劣化または破損して、ます本体１１の底部に段差ができた場合であっても、上記段差に影響されずに、補修部材３０をます本体１１内に適切に配置することができる。よって、補修部材３０を使用して、劣化または破損した排水ます１０を好適に補修することができる。
【００５４】
また、補修部材３０によって補修された排水ます１０では、流入口１２からます本体１１内に流入した排水は、排水ます１０のインバート１４よりも上方に配置された排水受け部３１に落ちる。よって、流入口１２から流入した排水がインバート１４に落ちる場合と比較して、補修部材３０によって補修された排水ます１０では、ます本体１１内で排水が飛散し難い。
【００５５】
本実施形態では、排水受け部３１は、下方に凹むように湾曲している。ここでは、排水受け部３１は、略椀形状である。そして、補修インバート３３の一端は、排水受け部３１の最底部に接続されている。このことによって、補修部材３０によって排水ます１０を補修した際、流入口１２からます本体１１内に流入した排水は、排水受け部３１によって受けられた後、補修インバート３３に向かって流れ易い。よって、排水受け部３１に排水が溜まることを抑制することができる。
【００５６】
本実施形態では、補修インバート３３の他端と連続し、排水ます１０の流出口１３に差し込まれる差込部３４を備えている。このことによって、排水ます１０の流出口１３に差込部３４を差し込んだ状態で、補修部材３０をます本体１１内に配置する。よって、補修部材３０を使用して排水ます１０を補修する際、ます本体１１に対して補修部材３０がずれ難くすることができる。本実施形態では、差込部３４の外径と流出管６の内径とは、略同じであるため、補修部材３０がます本体１１に対して揺動し難く、かつ、差込部３４と流出管６とをより強固に密着させることができる。また、流出口１３に差込部３４を差し込むことで、ます本体１１に対する補修部材３０の位置合わせがし易い。更に、補修部材３０を使用して排水ます１０を補修した際、流出口１３と補修インバート３３との間から排水が漏れ難くすることができる。
【００５７】
本実施形態では、図１に示すように、排水受け部３１は、流入口１２側部分の第１部材５１と、流出口１３側部分の第２部材５２とに分割される。このことによって、補修部材３０を使用して排水ます１０を補修する際、本実施形態では、第２部材５２をます本体１１内に配置した後で、第１部材５１をます本体１１内に配置する。このことによって、例えば、１つの部材によって形成された補修部材をます本体１１内に配置する場合と比較して、補修部材３０をます本体１１内に配置し易い。
【００５８】
また、本実施形態では、図７に示すように、第２部材５２には、補修インバート３３の一端が接続されている。図４に示すように、第１部材５１には、補修インバート３３は接続されていない。仮に、補修インバート３３の一端が第１部材５１と第２部材５２とに亘って接続されていた場合、補修インバート３３から排水が漏れるおそれがある。しかしながら、本実施形態では、補修インバート３３の一端は、図７に示すように、第２部材５２に接続され、かつ、第１部材５１に接続されていないため、補修インバート３３から排水が漏れない。
【００５９】
また、本実施形態では、図８に示すように、第２部材５２には、第１部材５１の端部（ここでは、被載置部５４（図６参照））が載置される載置部５３が設けられている。このことによって、補修部材３０を使用して排水ます１０を補修する際、第１部材５１の被載置部５４が第２部材５２の載置部５３に載置された状態で、第１部材５１および第２部材５２は、ます本体１１内に配置される。よって、第１部材５１と第２部材５２との間には、隙間ができ難く、第１部材５１と第２部材５２との間から排水が漏れ難い。
【００６０】
本実施形態では、図３に示すように、ガイド部３２は、排水受け部３１の縁から下方に延びている。このことによって、補修部材３０をます本体１１内に配置する際、補修部材３０のガイド部３２は、ます本体１１の内周面に沿って補修部材３０をます本体１１に挿入するときのガイドの役割として機能する。よって、ガイド部３２によって、補修部材３０をます本体１１内に挿入し易い。仮にガイド部３２が排水受け部３１の縁から上方に延びている場合、排水に含まれる汚物などがガイド部３２に付着または堆積することがあり得る。しかしながら、本実施形態では、ガイド部３２は、排水受け部３１の上方には位置していないため、ガイド部３２に汚物などが付着または堆積することを防止することができる。
【００６１】
本実施形態では、図２に示すように、補修部材３０は、排水ます１０のインバート１４に補修インバート３３の他端が接するように、ます本体１１の内部に配置されている。このことによって、補修部材３０の補修インバート３３の他端が、排水ます１０のインバート１４に接しているため、補修部材３０をます本体１１内で安定して配置させることができる。
【００６２】
本実施形態では、ます本体１１はコンクリート製である。コンクリートは、排水に含まれる成分と反応して劣化し易く、かつ、コンクリート製のます本体１１は、地上からの荷重などで破損することがあり得る。そのため、コンクリート製であるます本体１１は、劣化または破損がし易いため、コンクリート製のます本体１１にとって、補修部材３０を使用して補修されることは特に有用である。
【００６３】
本実施形態に係る補修方法は、第１配置工程と、第２配置工程と、注入工程とを包含する。第１配置工程では、補修インバート３３の他端が流出口１３に接続されるように、第２部材５２をます本体１１の内部に配置する。第２配置工程では、第２部材５２の載置部５３に第１部材５１の被載置部５４が載置されるように、第１部材５１をます本体１１の内部に配置する。そして、注入工程では、第１部材５１と第２部材５２との間、第１部材５１とます本体１１との間、および、第２部材５２とます本体１１との間に、接合剤を注入する。このような工程に沿って、補修部材３０をます本体１１の内部に配置することで、補修部材３０をます本体１１内に適切に配置することができる。そして、第１部材５１と第２部材５２との間、第１部材５１とます本体１１との間、および、第２部材５２とます本体１１との間に接合剤を注入することで、ます本体１１に流入した排水が漏れ難くすることができる。
【００６４】
例えば、排水ます１０において、長期間の使用によって、流出口１３の周囲の部位に亀裂が入ったり、破損したりするおそれがある。本実施形態では、差込部３４が流出口１３に差し込まれた状態で、補修部材３０とます本体１１との間に接合剤が注入される。よって、亀裂が入ったり、破損したりした流出口１３の周囲の箇所を、上記接合剤によって補修することができる。
【００６５】
上記実施形態では、排水受け部３１は、第１部材５１と第２部材５２との２つの部材に分割されていた。しかしながら、排水受け部３１を分割する部材の数は、２つに限定されず、３つ以上であってもよい。また、排水受け部３１は、１つの部材によって形成されていてもよい。
【００６６】
上記実施形態では、補修部材３０を用いて排水ます１０を補修した際、補修部材３０の排水受け部３１と、排水ます１０のインバート１４との間には、空間５５（図２参照）が形成されていた。しかしながら、空間５５には、モルタルなどの接合剤が注入されていてもよい。
【符号の説明】
【００６７】
１０  排水ます
１１  ます本体
１２  流入口
１３  流出口
３０  補修部材
３１  排水受け部
３２  ガイド部
３３  補修インバート
３４  差込部
５１  第１部材
５２  第２部材
１００  地下排水施設
【図１】
2019027071.tif 000003
【図２】
2019027071.tif 000004
【図３】
2019027071.tif 000005
【図４】
2019027071.tif 000006
【図５】
2019027071.tif 000007
【図６】
2019027071.tif 000008
【図７】
2019027071.tif 000009
【図８】
2019027071.tif 000010
【図９】
2019027071.tif 000011